【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
複数のチャンネルのデジタル音声信号の出力レベルを前記チャンネル毎に検出する検出部と、
前記出力レベルに応じた電力を求める電力取得部と、
前記複数のチャンネルの前記出力レベルの総和に基づいて、自装置から出力される前記デジタル音声信号の音量を調整する音量調整部と、
を備える音声出力装置。
【請求項２】
前記複数のチャンネルの前記電力のうちの少なくとも１つが閾値を越えると、前記デジタル音声信号のダイナミックレンジの圧縮を行う第１圧縮部をさらに備える請求項１に記載の音声出力装置。
【請求項３】
前記総和が、前記音声出力装置の電源の許容出力電力を示す第１閾値を越え、且つ、前記電源の完全短絡時に前記電源を保護可能な電力を示す第２閾値を超えなければ、前記デジタル音声信号のダイナミックレンジの圧縮を行う第２圧縮部をさらに備える請求項１又は請求項２に記載の音声出力装置。
【請求項４】
前記デジタル音声信号のミュートを行うミュート部をさらに備え、
前記総和が前記第２閾値を超えると、前記ミュート部が前記ミュートを行うとともに、前記第２圧縮部が前記圧縮を行い、
前記圧縮が完了した後に、前記ミュート部が前記ミュートを解除する請求項３に記載の音声出力装置。
【請求項５】
前記音量調整部は、前記複数のチャンネルの前記出力レベルの最大値を判別し、前記デジタル音声信号の規格で予め定められている最大値に対する前記出力レベルの最大値の減衰度合いを算出し、
前記第２圧縮部は、前記減衰度合から予め定められた度合いを減衰した値に基づいて前記圧縮を行う請求項４に記載の音声出力装置。
【請求項６】
前記第２圧縮部は、
前記圧縮の後に前記総和が前記第１閾値を超えると、さらに減衰度合いを増して前記圧縮を行い、
前記総和が前記第１閾値を下回る時間が予め定められた期間を超えた時点で、前記圧縮を停止する請求項５に記載の音声出力装置。
【請求項７】
符号化された音声データの復号を行い前記デジタル音声信号の生成を行うオーディオデコーダと、
音声の増幅を行うアンプと、
をさらに備える請求項１〜請求項６のいずれかに記載の音声出力装置。
【請求項８】
複数のチャンネルのデジタル音声信号の出力レベルを前記チャンネル毎に検出するステップと、
前記出力レベルに応じた電力を求めるステップと、
前記複数のチャンネルの前記電力の総和に基づいて、音声出力装置から出力される前記デジタル音声信号の音量を調整するステップと、
を備える音量調整方法。
【手続補正２】
【補正対象書類名】明細書
【補正対象項目名】００１２
【補正方法】変更
【補正の内容】
【００１２】
上記目的を達成するために、本発明の一の態様による音声出力装置は、複数チャンネルのデジタル音声信号を入力してデジタル信号処理を行う音声出力装置であって、前記デジタル音声信号のチャンネル毎のピーク値または実効値を検出する検出部と、前記ピーク値または前記実効値に応じた音声を出力するのに必要な電力を算出する電力算出部と、前記電力算出部により算出されたチャンネル毎の必要電力の総和に応じて前記デジタル音声信号の音量を調整する音量調整部とを備えることを特徴としている。
【手続補正３】
【補正対象書類名】明細書
【補正対象項目名】００１４
【補正方法】変更
【補正の内容】
【００１４】
また、上記音声出力装置は、デジタル音声信号のダイナミックレンジを圧縮する圧縮部と、複数チャンネルの中で最も大きなピーク値または実効値を判別する判別部とを備え、前記音量調整部は、前記判別部が判別したピーク値または実効値と予め定められた閾値とを比較し、前記ピーク値または前記実効値が前記閾値を超える場合に、前記圧縮部に対し前記圧縮を指示してもよい。
【手続補正４】
【補正対象書類名】明細書
【補正対象項目名】００１６
【補正方法】変更
【補正の内容】
【００１６】
さらに、上記音声出力装置は、前記音声出力装置が備える電源の許容出力電力を示す第１閾値と、前記電源の完全短絡時に前記電源を保護可能な電力を示す第２閾値とを記録した閾値記録部を備え、前記音量調整部は、前記総和が前記第１閾値を超え、且つ前記第２閾値を超えない場合に、前記圧縮部に対して前記圧縮を指示してもよい。
【手続補正５】
【補正対象書類名】明細書
【補正対象項目名】００１８
【補正方法】変更
【補正の内容】
【００１８】
さらに、上記音声出力装置は、デジタル音声信号をミュートするミュート部を備え、前記音量調整部は、前記総和が前記第２閾値を超える場合に、デジタル音声信号をミュートするよう前記ミュート部に指示し、前記圧縮部に対して前記圧縮を指示し、前記圧縮が完了した後に前記ミュートを解除するよう前記ミュート部に指示してもよい。
【手続補正６】
【補正対象書類名】明細書
【補正対象項目名】００２０
【補正方法】変更
【補正の内容】
【００２０】
さらに、上記音声出力装置において、前記音量調整部は、前記圧縮部に対して前記圧縮を指示する場合に、前記検出部により検出されている各チャンネルのピーク値または実効値の最大値を判別し、前記最大値と前記デジタル音声信号の規格で予め定められている最大値との減衰度合いを算出し、前記減衰度合から予め定められた度合いを減衰した値に基づいて前記圧縮を行うよう前記圧縮部に指示してもよい。
【手続補正７】
【補正対象書類名】明細書
【補正対象項目名】００２２
【補正方法】変更
【補正の内容】
【００２２】
さらに、前記音量調整部は、前記圧縮部に対して前記圧縮を指示した後においても前記総和が前記第１閾値を超える場合に、さらに減衰度合いを増して前記圧縮を行うよう前記圧縮部に指示し、前記総和が前記第１閾値を下回る時間が予め定められた期間を超えた時点で、前記圧縮を停止するよう前記圧縮部に指示してもよい。
【手続補正８】
【補正対象書類名】明細書
【補正対象項目名】００２４
【補正方法】変更
【補正の内容】
【００２４】
また、上記音声出力装置は、符号化された音声データの復号を行いデジタル音声信号の生成を行うオーディオデコーダと、音声の増幅を行うアンプとを備えていてもよい。
【手続補正９】
【補正対象書類名】明細書
【補正対象項目名】００２５
【補正方法】変更
【補正の内容】
【００２５】
また上記目的を達成するために、本発明の一の態様による音量調整方法は、音声出力装置が出力する音量の調整を行う音量調整方法であって、前記音声出力装置が備える制御部により実施される、デジタル音声信号のダイナミックレンジを圧縮するステップと、デジタル音声信号に含まれる複数チャンネルの中で最も大きなピーク値または実効値を判別するステップと、判別された前記ピーク値または前記実効値と予め定められた閾値とを比較するステップと、前記ピーク値または前記実効値が前記閾値を超える場合に前記圧縮を行うステップとを含むことを特徴とする。
【手続補正１０】
【補正対象書類名】明細書
【補正対象項目名】００４９
【補正方法】変更
【補正の内容】
【００４９】
比較の結果、リミットＢ＜Ｗ１ではない場合、後述する図３の処理フローへ移行する。リミットＢ＜Ｗ１である場合、ＤＳＰ１はステップＳ１６０において、ＤＲＣタイマ（不図示）の状態を確認する。そしてＤＲＣタイマがＯＮになっている場合、停止させる。なおＤＲＣタイマとしては例えば、ＤＳＰ１が所定のプログラムを実行することにより動作するソフトウェアタイマを用いる。”
【手続補正１１】
【補正対象書類名】明細書
【補正対象項目名】００５２
【補正方法】変更
【補正の内容】
【００５２】
ステップＳ１５０に戻って説明を行うと、ステップＳ１５０においてリミットＢ＜Ｗ１とならなかった場合、図３の処理フローに移行する。図３ではまず、リミット比較部１９はステップＳ２１０において、リミットＡとＷ１との比較を行う。ここではまず、リミットＡ＜Ｗ１である場合の処理について説明する。”
【手続補正１２】
【補正対象書類名】図面
【補正対象項目名】図２
【補正方法】変更
【補正の内容】
【図２】
2013126149.tif 000001